(57)【要約】【課題】的の外周部を支持する角形枠を簡単に組立てることができるコストの安い的支持枠を提供することである。【解決手段】一対の縦桟１２と一対の横桟１３を連結する四つのコーナジョイント１４のそれぞれ背面に接地バー２１の端部および支えバー３１の端部が連結される連結片１８を９０°の間隔をおいて形成して、コーナジョイント１４の組立て位置に制約を受けるのを防止し、角形枠１１が簡単に組立てられるようにする。また、コーナジョイント１４の共通化により一種類のコーナジョイント１４のみを形成すればよいようにしてコストの低減化を図る。【選択図】　図２
2004016634.tif 000002
【特許請求の範囲】
【請求項１】
シートから成る的の外周部を支持する角形枠と、その角形枠の下部のコーナ部から後方に延びる一対の接地バーと、各接地バーの後端部と前記支持枠の上部のコーナ部間に斜めに渡された一対の支えバーと、前記一対の接地バーの後端部間に渡された間隔保持バーとから成り、前記角形枠が、パイプから成る左右一対の縦桟と、その縦桟の上部間および下部間に渡されたパイプから成る上下一対の横桟と、両端部に挿入軸部を有し、その挿入軸部を縦桟および横桟の端部内に挿入して縦桟と横桟を連結する四つのＬ形コーナジョイントとを備え、各コーナジョイントの背面に連結孔を有する一対の連結片をほぼ９０°の間隔をおいて設け、各コーナジョイントの縦桟側連結片の連結孔に着脱自在に挿入される連結ピンによって接地バーの端部および支えバーの端部を回動自在に連結した的支持枠。
【請求項２】
前記支えバーが伸縮調整可能な伸縮パイプから成る請求項１に記載の的支持枠。
【請求項３】
前記間隔保持バーの両端部および支えバーの下端に断面円弧状の弾性変形可能な連結具をそれぞれ設け、間隔保持バーの両端の連結具を各接地バーの端部に着脱自在に嵌合し、各支えバーの下端の連結具を間隔保持バーの端部に着脱自在に嵌合した請求項１又は２に記載の的支持枠。
【発明の詳細な説明】
【０００１】
【発明の属する技術分野】
この発明は、帆布等の柔軟性を有するシートによって形成された的を支持する的支持枠に関するものである。
【０００２】
【従来の技術】
広場や庭に帆布から成る的を立てかけ、その的にむけて野球のボールを投げつけ、あるいはテニスボールやゴルフボールを打ちつけて各種スポーツの練習を行なうことは従来から普通に行なわれている。その練習に用いられる的の張設に組立て式の的支持枠が一般に採用されている。
【０００３】
的支持枠として、角形枠によって的の外周を支持し、その角形枠を二本の接地パイプと、各接地パイプに一端部が連結され、他端部が角形枠の上部に連結された支えパイプで立てかけた状態に保持するようにしたものが従来から知られている。
【０００４】
【発明が解決しようとする課題】
ところで、角形枠を接地パイプと支えパイプとで起立状態に保持するようにした組立て式の的支持枠においては、角形枠を形成する四つのコーナジョイントのうち、上部二つのコーナジョイントと下部二つのコーナジョイントの形状が相違するため、２種類のコーナジョイントを製作する必要が生じ、コストが高いという不都合があった。また、２種類のコーナジョイントが適正な位置に配置されるように角形枠を組立てる必要があるため、角形枠の組立にも手間がかかるという不都合があった。
【０００５】
この発明の課題は、的の外周部を支持する角形枠を簡単に組立てることができるコストの安い的支持枠を提供することである。
【０００６】
【課題を解決するための手段】
上記の課題を解決するために、この発明においては、シートから成る的の外周部を支持する角形枠と、その角形枠の下部のコーナ部から後方に延びる一対の接地バーと、各接地バーの後端部と前記支持枠の上部のコーナ部間に斜めに渡された一対の支えバーと、前記一対の接地バーの後端部間に渡された間隔保持バーとから成り、前記角形枠が、パイプから成る左右一対の縦桟と、その縦桟の上部間および下部間に渡されたパイプから成る上下一対の横桟と、両端部に挿入軸部を有し、その挿入軸部を縦桟および横桟の端部内に挿入して縦桟と横桟を連結する四つのＬ形コーナジョイントとを備え、各コーナジョイントの背面に連結孔を有する一対の連結片をほぼ９０°の間隔をおいて設け、各コーナジョイントの縦桟側連結片の連結孔に着脱自在に挿入される連結ピンによって接地バーの端部および支えバーの端部を回動自在に連結した構成を採用したのである。
【０００７】
上記のように、角形枠の四隅に配置されるコーナジョイントのそれぞれ背面に、連結孔を有する一対の連結片をほぼ９０°の間隔をおいて設けることによって、コーナジョイントを共通化することができる。このため、１種類のコーナジョイントを製造するのみでよく、製造コストの低減化を図ることができると共に、角形枠の組立てに際してコーナジョイントの組立て位置に制約を受けることがないため、角形枠をきわめて簡単に組立てることができる。
【０００８】
ここで、前記支えバーとして伸縮調整可能な伸縮パイプを採用すると、その支えバーの伸縮によって角形枠の角度を任意に調整することができる。
【０００９】
また、前記間隔保持バーの両端部および支えバーの下端に断面円弧状の弾性変形可能な連結具をそれぞれ設け、間隔保持バーの両端の連結具を各接地バーの端部に着脱自在に嵌合し、各支えバーの下端の連結具を間隔保持バーの端部に着脱自在に嵌合した構成を採用すると、接地バーに対する間隔保持バーの連結および連結解除、並びに間隔保持バーに対する支えバーの連結および連結解除が容易であり、的支持枠をきわめて簡単に組立ておよび分解することができる。
【００１０】
【発明の実施の形態】
以下、この発明の実施の形態を図面に基づいて説明する。図１は、この発明に係る的支持枠１０によってゴルフのアプローチ練習用の的１を支持した例を示している。
【００１１】
ここで、的１は、帆布等の柔軟性を有するシートから成り、複数のポケット２が縦横に形成されている。また、的１の外周四辺には各辺の一端から他端に至る長さの筒体３が形成されている。さらに、的１の下端部には両側縁間にわたる筒体４が形成されている。
【００１２】
図２に示すように、的支持枠１０は、上記的１を支持する角形枠１１と、その角形枠１１の下部コーナから後方に延びる一対の接地バー２１と、その接地バー２１の後端部と前記角形枠１１の上部のコーナ間に斜めに渡された一対の支えバー３１と、前記一対の接地バー２１の後端部間に渡された間隔保持バー４１とから成っている。
【００１３】
角形枠１１は、左右一対の縦桟１２と、上下一対の横桟１３と、その横桟１３と前記縦桟１２の端部を互に連結する四つのコーナジョイント１４を有し、一対の縦桟１２および一対の横桟１３はパイプから成り、的１の外周に設けられた筒体３内に対して抜き差し自在となっている。
【００１４】
一対の縦桟１２はその下端部において上部縦桟１２ａと下部縦桟１２ｂとに分割され、その上部縦桟１２ａと下部縦桟１２ｂはＴ形ジョイント１５によって接続され、対向するＴ形ジョイント１５間にパイプから成る補強バー１６が渡されている。この補強バー１６はＴ形ジョイント１５に対して両端部が抜き差し自在とされている。また、補強バー１６は的１の下端部に設けられた筒体４内に抜き差し自在とされている。
【００１５】
図４および図５に示すように、コーナジョイント１４はＬ形をなし、その両端部には縦桟１２および横桟１３の端部内に挿入される挿入軸部１７が設けられている。
【００１６】
また、コーナジョイント１４の背面には一対の連結片１８が９０°の間隔をおいて設けられ、各連結片１８に連結孔１９が形成されている。
【００１７】
上記の構成から成る角形枠１１は、各コーナジョイント１４の両端の挿入軸部１７を縦桟１２および横桟１３の端部内に挿入することによって組立てられる。
【００１８】
図５に示すように、一対の接地バー２１はパイプから成っている。この接地バー２１は、端部にキャップ２２を有し、そのキャップ２２の先端部にコーナジョイント１４の縦桟１２側の連結片１８が挿入される二股片２２ａが設けられている。二股片２２ａにはピン挿入孔２３が形成され、そのピン挿入孔２３および連結片１８の連結孔１９に挿入される連結ピンとしてのボルト２４とこれにねじ係合されるナット２５によって下部のコーナジョイント１４の連結片１８に接地バー２１が回動自在に連結されている。
【００１９】
図３に示すように、一対の支えバー３１は大径パイプ内に小径パイプを挿入した伸縮調整可能な伸縮パイプから成る。この支えバー３１は、図４に示すように、端部にキャップ３２を有し、そのキャップ３２の先端部に上部コーナジョイント１４の縦桟１２側の連結片１８が挿入される二股片３２ａが設けられている。二股片３２ａには挿入孔３３が形成され、その挿入孔３３および連結片１８の連結孔１９に挿入される連結ピンとしてのボルト３４とこれにねじ係合されるナット３５の締付けによって、上部コーナジョイント１４の連結片１８に支えバー３１の上端部が回動自在に連結されている。
【００２０】
図６に示すように、支えバー３１の下端部には断面円弧状の弾性変形可能な連結具３６が取付けられている。連結具３６は間隔保持バー４１の長さ方向と直交する方向から間隔保持バー４１の端部に対して係脱自在とされ、その係合状態で間隔保持バー４１を中心にして回動し得るようになっている。
【００２１】
間隔保持バー４１はパイプから成る。この間隔保持バー４１の両端部には断面円弧状の弾性変形可能な連結具４２が取付けられている。連結具４２は接地バー２１の長さ方向と直交する方向からその接地バー２１の端部に対して係脱自在とされている。
【００２２】
実施の形態で示す的支持枠は上記の構造から成り、的１の支持に際しては、その的１の外周に設けられた筒体３内に一対の縦桟１２および一対の横桟１３を挿入すると共に、的１の下端部に設けられた筒体４内に補強バー１６を挿入し、その補強バー１６の両端部を縦桟１２のＴ形ジョイント１５に接続する。
【００２３】
上記のように、的１の各筒体３、４内に縦桟１２、横桟１３および補強バー１６を挿入したのち、コーナジョイント１４の両端部に設けられた挿入軸部１７を縦桟１２および横桟１３の端部に挿入して角形枠１１を組立てる。
【００２４】
角形枠１１の組立て後、上部の一対のコーナジョイント１４における縦桟１２側の連結片１８に支えバー３１の端部の二股片３２ａをボルト３４およびナット３５で連結すると共に、下部の一対のコーナジョイント１４における縦桟１２側の連結片１８に接地バー２１の端部の二股片２２ａをボルト２４およびナット２５で連結する。
【００２５】
接地バー２１の連結後、その一対の接地バー２１の後端部に間隔保持バー４１の両端の連結具４２を係合させると共に、支えバー３１の下端の連結具３６を間隔保持バー４１の端部に係合させることにより、的支持枠１０の組立てが完了する。
【００２６】
上記のような的支持枠１０の組立てにおいて、角形枠１１の四隅のコーナジョイント１４の背面には一対の連結片１８がほぼ９０°の間隔をおいて形成されているため、コーナジョイント１４は位置の制約を受けることなく組立てることができる。
【００２７】
また、間隔保持バー４１の組立ては、その両端の連結具４２を接地バー２１に嵌合させるだけでよく、また、支えバー３１の下端と間隔保持バー４１の連結も、支えバー３１の下端の連結具３６を間隔保持バー４１の端部に嵌合させるだけでよいため、的支持枠１０をきわめて短時間に能率よく組立てることができる。
【００２８】
図１に示す的１の支持状態において、支えバー３１を長さ調整することにより、的１を支持する角形枠１１は、下部のコーナジョイント１４と接地バー２１を連結するボルト２４を中心に回動することになり、的１の傾きを調整することができる。図３の（イ）　は的１を傾き調整した状態を示す。
【００２９】
なお、的支持枠１０の保管や持ち運びに際しては、接地バー２１、支えバー３１および間隔保持バー４１を取外し、かつ角形枠１１を分解する。その分解によって保管や持ち運びに便利なコンパクトな状態を得ることができる。
【００３０】
実施の形態では、的１として、ゴルフボールを打ちつけてアプローチ練習用の的を示したが、的はこれに限定されるものではない。例えば、テニスボールを打ちつけるサーブ練習用の的であってもよい。
【００３１】
【発明の効果】
以上のように、この発明においては、的を支持する角形枠の四隅に配置されるコーナジョイントのそれぞれ背面に連結孔を有する一対の連結片をほぼ９０°の間隔をおいて設けたので、コーナジョイントが角形枠の四隅のどの位置に配置されても、下部のコーナジョイントの連結片に接地バーの端部を連結することができると共に、上部のコーナジョイントの連結片に支えバーの端部を連結することができる。このため、コーナジョイントは共通化され、一種類のコーナジョイントを製造するのみでよく、製造コストの低減化を図ることができる。
【００３２】
また、コーナジョイントは組立て位置に制約を受けることがないため、角形枠をきわめて簡単に短時間で組立てることができる。
【００３３】
さらに、支えバーに伸縮調整可能な伸縮パイプを採用したことによって、その支えバーの伸縮により角形枠の角度を任意に調整することができる。
【００３４】
また、支えバーの下端部および間隔保持バーの両端部に断面円弧状の弾性変形可能な連結具を取付けたことにより、接地バーに対して間隔保持バーを簡単に連結することができると共に、その間隔保持バーに支えバーの下端部を簡単に連結することができ、的支持枠をきわめて簡単に組立てることができる。
【図面の簡単な説明】
【図１】この発明に係る的支持枠によって的を支持した状態の斜視図
【図２】的支持枠の斜視図
【図３】図２に示す的支持枠の側面図
【図４】的支持枠の上部コーナ部の分解斜視図
【図５】的支持枠の下部コーナ部を示す分解斜視図
【図６】的支持枠の接地バー、間隔保持バーおよび支えバーの連結部を示す分解斜視図
【符号の説明】
１　的
１１　角形枠
１２　縦桟
１３　横桟
１４　コーナジョイント
１７　挿入軸部
１８　連結片
１９　連結孔
２１　接地バー
２４　ボルト（連結ピン）
３１　支えバー
３４　ボルト（連結ピン）
４１　間隔保持バー
４２　連結具
【図１】
2004016634.tif 000003
【図２】
2004016634.tif 000004
【図３】
2004016634.tif 000005
【図４】
2004016634.tif 000006
【図５】
2004016634.tif 000007
【図６】
2004016634.tif 000008